(57)【要約】【課題】取り付け、取り外しを簡単にする。製造を容易にする。【解決手段】布団を袋状に包み込む布団カバー１であって、布団の一側面を覆う面部材３を２本の対角線上で４枚に分割して各分割部分３ａをめくり可能にすると共に、分割部分３ａ同士を開閉可能に接続する接続手段５を備えている。【選択図】　　　　図１
2004000329.tif 000002
【特許請求の範囲】
【請求項１】
布団を袋状に包み込む布団カバーにおいて、布団の一側面を覆う面部材を２本の対角線上で４枚に分割して各分割部分をめくり可能にすると共に、分割部分同士を開閉可能に接続する接続手段を備えることを特徴とする布団カバー。
【発明の詳細な説明】
【０００１】
【発明の属する技術分野】
本発明は、布団カバーに関する。更に詳述すると、本発明は、掛け布団等の布団を袋状に包み込んで収容する布団カバーに関するものである。
【０００２】
【従来の技術】
布団に袋状の布団カバーを付けたり外したりする作業は大変手間の掛かる作業であり、この作業を少しでも楽なものにするために様々な布団カバーが提案されている。
【０００３】
例えば、図６に示す布団カバー１０１は、片方の面部材１０２の１本の対角線上に切り込み１０３を形成し、この切り込み１０３を利用して布団を出し入れするようにしている。切り込み１０３には、例えばファスナが取り付けられている。また、図７に示す布団カバー１０６は、２枚の面部材１０８，１０９の長手方向の一辺と短手方向の一辺をそれぞれファスナ１０４，１０５で接続し、各ファスナ１０４，１０５を開け閉めして布団を出し入れするようにしている。さらに、図８に示す布団カバー１１０は、２枚の面部材１１１，１１２の連続する三辺を１本のＵ字状ファスナ１０７で接続し、ファスナ１０７を開け閉めして布団１１３を出し入れするようにしている。
【０００４】
【発明が解決しようとする課題】
しかしながら、図６の布団カバー１０１では、切り込み１０３が形成されている対角線の２箇所のコーナー１０１ａについては布団の角を奥まで入れやすいが、切り込み１０３が形成されていない対角線の２箇所のコーナー１０１ｂについては布団の角を奥まで入れにくい。
【０００５】
また、図７の布団カバー１０６では、ファスナ１０４，１０５で開閉するコーナー１０６ａについては布団の角を入れやすいが、ファスナ１０４，１０５で開閉できないコーナー１０６ｂについては布団の角を奥まで入れにくい。また、ファスナ１０４，１０５を開け閉めする作業は通常は腰をかがめたり立て膝の姿勢で行うものであるが、ファスナ１０４，１０５を開け閉めする為には、このように動きにくい姿勢で布団カバー１０１の長手方向と短手方向の両方向に移動しなければならない。
【０００６】
さらに、図８の布団カバー１１０では、Ｕ字状ファスナ１０７を開けることで全てのコーナーを露出させることができるので布団１１３の角をコーナーにあてがうことは容易ではあるが、途中の２箇所で直角に曲がる連続した３辺に１本のＵ字状ファスナ１０７を縫い付けるのは高度な技術が必要である。また、途中で直角に曲がっているＵ字状ファスナ１０７は、曲がっている部分で開閉をスムーズに行うことができない。さらに、Ｕ字状ファスナ１０７を開け閉めする為に作業者が動きにくい姿勢で移動しなければならない点は図７の布団カバー１０６と同じであるが、図８の布団カバー１０１では３辺に沿って移動しなければならないので移動距離がさらに長い。
【０００７】
本発明は、簡単に付け外しをすることができ、しかも製造が容易な布団カバーを提供することを目的とする。
【０００８】
【課題を解決するための手段】
かかる目的を達成するために請求項１記載の発明は、布団を袋状に包み込む布団カバーにおいて、布団の一側面を覆う面部材を２本の対角線上で４枚に分割して各分割部分をめくり可能にすると共に、分割部分同士を開閉可能に接続する接続手段を備えるものである。
【０００９】
布団カバーを付ける場合には、まず最初に接続手段を外して４枚の分割部分同士の接続を解く。そして、分割部分をめくると、布団カバー内のコーナー部分が露出する。この状態で布団カバー内に布団を載せ、布団を伸ばして角を布団カバーのコーナー部分にあてがう。そして、４枚の分割部分を布団の上に被せ、接続手段によってつなげる。これにより、布団を布団カバーで包むことができる。また、布団カバーを外す場合には、接続手段を外して４枚の分割部分をめくれば布団が露出するので、布団を取り出すことができる。
【００１０】
接続手段としては、例えば面ファスナ（所謂マジックテープ）、ファスナ（チャック）、紐等の使用が可能である。また、布団カバーの付け外しを行う際、布団カバーの中央に乗ることで、手を伸ばすだけで大きく移動せずに接続手段を外したり付けたりすることが出来る。
【００１１】
【発明の実施の形態】
以下、本発明の構成を図面に示す最良の形態に基づいて詳細に説明する。
【００１２】
図１及び図２に、本発明を適用した布団カバーの実施形態の一例を示す。この布団カバー１は、布団２を袋状に包み込むもので、布団２の一側面２ａを覆う面部材３を２本の対角線上で４枚に分割して各分割部分３ａをめくり可能にすると共に、分割部分３ａ同士を開閉可能に接続する接続手段５を備えている。
【００１３】
布団カバー１は２枚の面部材３，４を袋状に縫い合わせたもので、布団２の一側面２ａ、即ち、布団２を使う者と反対側の面２ａ、例えば掛け布団２であれば上側面２ａを覆う面部材３を４枚に分割している。また、各分割部分３ａの先端３ｂは切り欠かれている。
【００１４】
接続手段５は、例えばファスナ（チャック）である。ファスナ５は分割部分３ａの側縁に縫い付けられており、隣り合う分割部分３ａの側縁同士を接続する。ファスナ５は、中央から四隅に向けて開くように縫い付けられている。
【００１５】
この布団カバー１を布団２に付ける場合、図２に示すように、ファスナ５を開いて分割部分３ａを外側にめくる。全てのファスナ５を開き全ての分割部分３ａをめくることで、布団カバー１を開いて下側の面部材４が見えるようになり、布団カバー１内のコーナー部分６が露出する。
【００１６】
この状態で下側の面部材４に布団２を載せ、布団２を伸ばしてその角２ｂを布団カバー１のコーナー部分６にあてがう。そして、４枚の分割部分３ａを布団２の上に被せ、ファスナ５を閉める。これにより、図１に示すように、４枚の分割部分３ａがつながり、布団２を布団カバー１で包むことができる。
【００１７】
布団カバー１を外す場合には、ファスナ５を開いて４枚の分割部分３ａをめくれば布団２が露出するので、布団カバー１から布団２を取り出すことができる。
【００１８】
この布団カバー１は分割部分３ａをめくることで全開することができ、全開した布団カバー１に布団２を載せて装着するので、簡単に装着することができ、また簡単に取り外すこともできる。しかも、分割部分３ａをめくることで布団カバー１内の全てのコーナー部分６を露出させることができるので、布団２の角２ｂをコーナー部分６に簡単にあてがうことができる。即ち、図６に示す従来の布団カバー１０１のように切り込み１０３から布団を挿入し、布団カバー１０１を手繰り寄せながら布団に被せる場合とは異なり、簡単に装着することができ、しかも四隅について布団２の角２ｂと布団カバー１内のコーナー部分６をぴったりと揃えるのも簡単である。
【００１９】
また、この布団カバー１では、付け外し作業を行う際、布団カバー１の中央部分に乗ることで、手を伸ばすだけで全てのファスナ５を開け閉めすることがきるので、図７に示す従来の布団カバー１０６や図８に示す従来の布団カバー１１０のように、作業者が大きく移動しながら作業を行う必要がない。即ち、図７や図８のように布団カバー１０６，１１０の縁にファスナ１０４，１０５、１０７を取り付けた場合には、ファスナ１０４，１０５、１０７が外側に向いているため、布団カバー１０６，１１０の中央部分に乗った状態ではファスナ１０４，１０５、１０７を開閉操作し難く、布団カバー１０６，１１０の周囲からファスナ１０４，１０５、１０７を操作するのが一般的である。このため、ファスナ１０４，１０５、１０７を開け閉めするために、ファスナ１０４，１０５、１０７に沿って布団カバー１０６，１１０の周囲を移動する必要がある。これに対し、本発明の布団カバー１では、ファスナ５が上側を向いており、しかも１本のファスナ５の長さは対角線の半分の長さよりも短い長さに過ぎないので、作業者が布団カバー１の中央部分に乗り体の向きを変えることでファスナ５を開閉することができ、布団カバー１の付け外し作業が楽である。
【００２０】
また、この布団カバー１のファスナ５は直線状であるので、その開け閉めが容易且つスムーズであると共に、分割部分３ａへの縫製、即ち布団カバー１の製造も簡単である。
【００２１】
この布団カバー１では分割部分３ａの先端３ｂを切り欠いており、全てのファスナ５を完全に閉めた状態でも指を分割部分３ａの裏側に挿入することができるようになっている。このようにすることで、ファスナ５の開閉操作がしやすくなる。ただし、このような切り欠きを設けなくても良いことは勿論である。
【００２２】
この布団カバー１は、布団２として、例えば掛け布団、敷き布団、毛布、座布団等のカバーとして使用することができ、また、枕カバーとしての使用も可能である。本明細書中で「布団」には、掛け布団、敷き布団、毛布、座布団のみならず、枕をも含んでいる。
【００２３】
なお、上述の形態は本発明の好適な形態の一例ではあるがこれに限定されるものではなく本発明の要旨を逸脱しない範囲において種々変形実施可能である。例えば、上述の説明では、接続手段としてファスナ（チャック）５を使用していたが、ファスナ５に限るものはなく、例えば、面ファスナ、紐等を使用しても良い。
【００２４】
図３に、接続手段５として面ファスナを使用した布団カバー１を示す。この布団カバー１では、４枚の分割部分３ａのうち、１枚の分割部分３ａの先端が他の３枚の分割部分３ａの先端に重なるようにして、この重なり部分に面ファスナ５を取り付けている。接続手段として面ファスナ５を使用することで、布団カバー１の付け外し作業がより一層容易になり、また、分割部分３ａに接続手段５を取り付ける作業、即ち布団カバー１の製造がより一層簡単なものになる。なお、分割部分３ａの側縁部が隣の分割部分３ａの側縁部に重なるようにして、この重なり部分に面ファスナ５を取り付けて隣り合う分割部分３ａ同士を接続するようにしても良い。
【００２５】
また、図４に、接続手段５として紐を使用した布団カバー１を示す。この布団カバー１では、分割部分３ａの先端に紐５を設け、４本の紐５を結ぶことで分割部分３ａを接続している。この場合にも、布団カバー１の付け外し作業が容易であり、また、分割部分３ａに接続手段５を取り付ける作業、即ち布団カバー１の製造が簡単なものになる。なお、分割部分３ａの側縁部に所定間隔で紐５を取り付け、隣り合う分割部分３ａの紐５を結ぶことで隣り合う分割部分３ａ同士を接続するようにしても良い。
【００２６】
また、上述の説明では、接続手段５を分割部分３ａに取り付けていたが、接続手段５を分割部分３ａに取り付けていなくても良い。例えば、図５に示すように、接続手段５として係止布を使用しても良い。この布団カバー１では、分割部分３ａの先端に面ファスナの一方（例えば雄側の面ファスナ）を取り付け、係止布５に面ファスナの他方（例えば雌側の面ファスナ）を取り付け、係止布５で４枚の分割部分３ａを接続している。この場合にも、布団カバー１の付け外し作業が容易であり、また、布団カバー１の製造がより一層簡単なものとなる。また、係止布５に代えて、例えばコサージュ等の飾り類やアクセサリ類等によって分割部分３ａの先端を接続するようにしても良く、この場合には布団カバー１を飾ることもでき、デザイン上のポイントを付けることができる。
【００２７】
また、分割部分３ａの間に隙間を設けて布団２の模様や色を見せるようにしても良い。布団２自体にも模様や色が付されており、この模様や色を布団カバー１の間から見せることができるので、布団カバー１と布団２のデザインの組み合わせを楽しむことができる。
【００２８】
【発明の効果】
以上説明したように、本発明の布団カバーでは、布団の一側面を覆う面部材を２本の対角線上で４枚に分割して各分割部分をめくり可能にすると共に、分割部分同士を開閉可能に接続する接続手段を備えているので、布団への付け外し作業が簡単なものとなる。また、Ｕ字状ファスナ等を使用しなくて済むので、その製造が容易になる。
【図面の簡単な説明】
【図１】本発明を適用した布団カバーの第１の実施形態を示し、布団に装着した状態の平面図である。
【図２】本発明を適用した布団カバーの第１の実施形態を示し、布団に装着する様子を示す斜視図である。
【図３】本発明を適用した布団カバーの第２の実施形態を示す平面図である。
【図４】本発明を適用した布団カバーの第３の実施形態を示す平面図である。
【図５】本発明を適用した布団カバーの第４の実施形態を示す平面図である。
【図６】従来の布団カバーを示す平面図である。
【図７】従来の布団カバーの他の例を示す斜視図である。
【図８】従来の布団カバーの更に他の例を示す平面図である。
【符号の説明】
１　布団カバー
２　布団
２ａ　布団の一側面
３　面部材
３ａ　分割部分
５　接続手段
【図１】
2004000329.tif 000003
【図２】
2004000329.tif 000004
【図３】
2004000329.tif 000005
【図４】
2004000329.tif 000006
【図５】
2004000329.tif 000007
【図６】
2004000329.tif 000008
【図７】
2004000329.tif 000009
【図８】
2004000329.tif 000010